(57)【要約】【課題】  ドリブンプレートとドライブプレートを収容するドラムにおいて、クラッチの回転速度により、潤滑油の保持と放出を行い、有効的に冷却効果を高めること。【解決手段】  クラッチの滑り回転が低回転時は、クラッチドラム５の潤滑油排出孔１０を塞ぎ潤滑油をクラッチドラム５内に保持し、高回転時に、潤滑油排出孔１０を開き潤滑油をクラッチドラム５内より放出し、多板摩擦クラッチの温度を冷却するようになっており、具体的には、クラッチドラム５の潤滑油排出孔１０に開閉弁を設け、遠心力と油圧力により、板バネ１１の反力に対抗し潤滑油排出孔１０に設けられた開閉弁が外に開き潤滑油を放出するように構成してある。【選択図】  図３
2006322554.tif 000002
【特許請求の範囲】
【請求項１】
ドリブンプレートとドライブプレートが交互に数枚重なり合い、ドリブンプレートとドライブプレートが滑りながらピストンの押圧力により締結される多板摩擦クラッチ装置に於いて、
そのドリブンプレートとドライブプレートを収容するドラムにおいて、
クラッチの滑り回転が低回転時は、ハウジングの潤滑油排出孔を塞ぎ潤滑油をハウジング内に保持し、
高回転時に、潤滑油排出孔を開き潤滑油をハウジング内より放出し、多板摩擦クラッチの温度を冷却する冷却手段を、具備することを特徴とする多板摩擦クラッチ装置。
【請求項２】
前記冷却手段は、ドラムの潤滑油排出孔に開閉弁を設け、遠心力と油圧力により、バネの反力に対抗し潤滑油排出孔に設けられた開閉弁が外に開き潤滑油を放出することを特徴とする請求項１に記載の多板摩擦クラッチ装置。
【請求項３】
前記冷却手段は、バネにウエイトを設定することにより、潤滑油排出孔を開き潤滑油を放出することを特徴とする請求項１又は２に記載の多板摩擦クラッチ装置。
【請求項４】
前記冷却手段は、前記バネは板バネであり、ドラムに固定したものにより、排出孔の開閉を行い潤滑油を放出することを特徴とする請求項１乃至３の何れか１項に記載の多板摩擦クラッチ装置。
【発明の詳細な説明】
【技術分野】
【０００１】
本発明は、ドリブンプレートとドライブプレートを収容するドラムにおいて、クラッチの回転速度により、潤滑油の保持と放出を行い、有効的に冷却効果を高めることができる多板摩擦クラッチ装置に関する。
【背景技術】
【０００２】
ウェット・スターティング・クラッチ（Wet Starting Clutch、以下ＷＳＣと記す）やデュアル・クラッチ・トランスミッション（Dual Clutch Transmission、以下ＤＣＴと記す）に使われる多板摩擦クラッチ装置では、ドリブンプレート（ＳＰ）とドライブプレート（ＦＰ）が交互に数枚重なり合い、ドリブンプレートとドライブプレートが滑りながらピストンの押圧力により締結されるように構成されている。
【０００３】
また、特許文献１に於いては、摩擦板の回転時、摩擦板の内周側から外周側へオイルを排出する排出角を持つ複数のオイル溝と、摩擦板の外周側から内周側へオイルを引き込む流入角を持つ複数のオイル溝とを略等間隔置きに混在させてある。
【０００４】
すなわち、特許文献１では、ドラムの内部に配置されている摩擦材に溝を施すことにより、溝による潤滑油の放出と取り込みの効果を求めている。
【特許文献１】特開２００４−７６８９６号公報
【発明の開示】
【発明が解決しようとする課題】
【０００５】
しかしながら、特許文献１に開示した多板摩擦クラッチ装置に於いては、ドラム外径側に潤滑油排出の孔が開いていることにより、ドラム内の遠心力により放出性が余儀なくされる。
【０００６】
本発明は、上述したような事情に鑑みてなされたものであって、ドリブンプレートとドライブプレートを収容するドラムにおいて、クラッチの回転速度により、潤滑油の保持と放出を行い、有効的に冷却効果を高めることができる、多板摩擦クラッチ装置を提供することを目的とする。
【課題を解決するための手段】
【０００７】
上記の目的を達成するため、本発明の請求項１に係る多板摩擦クラッチ装置は、ドリブンプレートとドライブプレートが交互に数枚重なり合い、ドリブンプレートとドライブプレートが滑りながらピストンの押圧力により締結される多板摩擦クラッチ装置に於いて、
そのドリブンプレートとドライブプレートを収容するドラムにおいて、
クラッチの滑り回転が低回転時は、ハウジングの潤滑油排出孔を塞ぎ潤滑油をハウジング内に保持し、
高回転時に、潤滑油排出孔を開き潤滑油をハウジング内より放出し、多板摩擦クラッチの温度を冷却する冷却手段を、具備することを特徴とする。
【０００８】
本発明の請求項２に係る多板摩擦クラッチ装置は、前記冷却手段は、ドラムの潤滑油排出孔に開閉弁を設け、遠心力と油圧力により、バネの反力に対抗し潤滑油排出孔に設けられた開閉弁が外に開き潤滑油を放出することを特徴とする。
【０００９】
本発明の請求項３に係る多板摩擦クラッチ装置は、前記冷却手段は、バネにウエイトを設定することにより、潤滑油排出孔を開き潤滑油を放出することを特徴とする。
【００１０】
本発明の請求項４に係る多板摩擦クラッチ装置は、前記冷却手段は、前記バネは板バネであり、ドラムに固定したものにより、排出孔の開閉を行い潤滑油を放出することを特徴とする。
【発明の効果】
【００１１】
本発明によれば、ドリブンプレートとドライブプレートを収容するドラムにおいて、クラッチの滑り回転が低回転時は、ハウジングの潤滑油排出孔を塞ぎ潤滑油をハウジング内に保持し、高回転時に、潤滑油排出孔を開き潤滑油をハウジング内より放出し、多板摩擦クラッチの温度を冷却する冷却手段を、具備している。
【００１２】
そのため、潤滑油を低回転では潤滑油をドラム内に保持し、高回転時において、ポンプからの潤滑油量が供給され、スターティングクラッチの係合時、摩擦材の発熱量も大きくなる。そのときに、潤滑油が早く外へ放出されるように遠心力方式により、バネ乗数とウエイトと加締めの距離を設定することにより潤滑油排出孔が開き潤滑油を放出することが出来る。
【００１３】
したがって、ドラム内の遠心力の差により弁の開閉を行う事により、低回転では、ドラム内温度が上昇しないため潤滑油を保持するため、ポンプからの潤滑油量は少量でよく、高回転の摩擦材締結時において、発熱量が高くなるためポンプからの潤滑油の供給量も多くし、発熱した熱量を外部に潤滑油と共に排出して、ドラム内の冷却効果を高めることが出来る。よって、従来と比較しポンプを有効的に働かせることにより、燃費向上を図る事が出来る。
【発明を実施するための最良の形態】
【００１４】
以下、本発明の実施の形態に係る多板摩擦クラッチ装置を図面を参照しつつ説明する。
【００１５】
図１は、本発明の実施の形態に係る多板摩擦クラッチ装置を備えたＷＳＣユニットの模式的断面図である。
【００１６】
多板摩擦クラッチ装置では、ドリブンプレート１（ＳＰ）とドライブプレート２（ＦＰ）が交互に数枚重なり合っている。ドリブンプレート１は、外側にスプラインを有する金属製のプレートであり、ドライブプレート２は、内側にスプラインを有する金属板で、その両面にフェーシング材（摩擦材、ライニング）を貼り付けた物である。又、ドリブンプレート１とドライブプレート２の片面に交互にフェーシング材（摩擦材、ライニング）を貼り付けていることもある。ピストン４の押圧力により作用と非作用とすることにより、締結又は解放されるように構成されている。なお、符号５は、クラッチドラムであり、符号６は、リテーナプレートであり、符号７は、ハブである。
【００１７】
図２（ａ）は、本発明の実施の形態に係る多板摩擦クラッチ装置に装着したクラッチドラムの正面図であり、（ｂ）は、（ａ）のｂ−ｂ線に沿った断面図である。
【００１８】
図３は、図２（ｂ）で略長方形状に囲んだ部分（ＣＯＯＬ）の拡大断面図である。
【００１９】
なお、図２において、「ＣＯＯＬ」で示す円で又は略長方形状に囲んだ部分は、後述する冷却手段が設けてある部位である。
【００２０】
本実施の形態では、ドリブンプレート１とドライブプレート２を収容するクラッチドラム５において、クラッチの滑り回転が低回転時は、クラッチドラム５の潤滑油排出孔１０を塞ぎ潤滑油をクラッチドラム５内に保持し、高回転時に、潤滑油排出孔１０を開き潤滑油をクラッチドラム５内より放出し、多板摩擦クラッチの温度を冷却する冷却手段を、具備している。
【００２１】
具体的には、冷却手段は、クラッチドラム５の潤滑油排出孔１０に開閉弁を設け、遠心力と油圧力により、板バネ１１の反力に対抗し潤滑油排出孔１０に設けられた開閉弁が外に開き潤滑油を放出するように構成してある。
【００２２】
開閉弁は、板バネ１１にウエイト１３を設定することにより、潤滑油排出孔１０を開き潤滑油を放出するようになっている。
【００２３】
板バネ１１は、その基端がリベット１２により、クラッチドラム５に固定してあり、潤滑油排出孔１０の開閉を行って潤滑油を放出するようになっている。
【００２４】
そのため、潤滑油を低回転では潤滑油をクラッチドラム５内に保持し、高回転時において、ポンプからの潤滑油量が供給され、スターティングクラッチの係合時、摩擦材の発熱量も大きくなる。そのときに、潤滑油が早く外へ放出されるように遠心力方式により、板バネ１１のバネ乗数とウエイト１３と加締めの距離を設定することにより潤滑油排出孔１０が開き潤滑油を放出することが出来る。
【００２５】
したがって、クラッチドラム５内の遠心力の差により開閉弁の開閉を行う事により、低回転では、クラッチドラム５内温度が上昇しないため潤滑油を保持するため、ポンプからの潤滑油量は少量でよく、高回転の摩擦材締結時において、発熱量が高くなるためポンプからの潤滑油の供給量も多くし、発熱した熱量を外部に潤滑油と共に排出して、クラッチドラム５内の冷却効果を高めることが出来る。よって、従来と比較しポンプを有効的に働かせることにより、燃費向上を図る事が出来る。
【００２６】
なお、本発明は、上述した実施の形態に限定されず、種々変形可能である。例えば、開閉弁の固定方法が図示例ではリベット１２となっているが、リベットに限らず、固定方法はどのような方法でも可である。
【図面の簡単な説明】
【００２７】
【図１】本発明の実施の形態に係る多板摩擦クラッチ装置を備えたＷＳＣユニットの模式的断面図である。
【図２】（ａ）は、本発明の実施の形態に係る多板摩擦クラッチ装置に装着したクラッチドラムの正面図であり、（ｂ）は、（ａ）のｂ−ｂ線に沿った断面図である。
【図３】図２（ｂ）で略長方形状に囲んだ部分（ＣＯＯＬ）の拡大断面図である。
【符号の説明】
【００２８】
１  ドリブンプレート
２  ドライブプレート
４  ピストン
５  クラッチドラム（ハウジング）
６  リテーナプレート
７  ハブ
１０  潤滑油排出孔
１１  板バネ
１２  リベット
１３  ウエイト
【図１】
2006322554.tif 000003
【図２】
2006322554.tif 000004
【図３】
2006322554.tif 000005